(57)【要約】【課題】テーブルタップが備える複数のコンセントそれぞれにおける消費電力を簡易に計測できる消費電力量計測システムを提供する。【解決手段】本テーブルタップ１は、各コンセント９ａ−９ｄに流れる電流の検出手段７ａ−７ｄと、ユーザー側無線機２と通信を行うことができるタップ側無線機１１と、上記タップ側無線機がユーザー側無線機からインクワイアリを受信したときは、この受信に応答して上記各検出手段の検出出力から各コンセントでの消費電力量の演算を行い、その演算データを上記タップ側無線機を制御して上記ユーザー側無線機に送信させるマイコン１０と、を内蔵する。 本消費電力量計測システムはこのテーブルタップ１を用いてユーザー側無線機２と消費電力量のデータの送受信を行うシステム。【選択図】図１
2012063265.tif 000002
【特許請求の範囲】
【請求項１】
複数のコンセントを有するテーブルタップであって、
上記各コンセントに流れる電流をそれぞれ検出する複数の検出手段と、
ユーザーが携帯するユーザー側無線機と通信を行うことができるタップ側無線機と、
上記タップ側無線機が上記ユーザー側無線機から電力計測要求信号を受信したときは、この受信に応答して上記各検出手段の検出出力から各コンセントでの消費電力量の演算を行い、その演算データを上記タップ側無線機を制御して上記ユーザー側無線機に送信させるマイコンと、
を内蔵したことを特徴とするテーブルタップ。
【請求項２】
上記電力計測要求信号はブルートゥースによるインクワイアリである、請求項１に記載のテーブルタップ。
【請求項３】
請求項１または２に記載のテーブルタップの複数と、ユーザー側無線機とを含み、各テーブルタップそれぞれの各コンセントにコンセントＩＤを設定し、テーブルタップはユーザー側無線機から電力計測要求信号を受信したときは各コンセントでの消費電力量を演算すると共に、その演算した消費電力量のデータをコンセントＩＤと共にユーザー側無線機に送信するようにしたことを特徴とする、消費電力量計測システム。
【発明の詳細な説明】
【技術分野】
【０００１】
本発明は、複数のコンセントを備えたテーブルタップおよびこれを用いた消費電力量計測システムに関するものである。
【背景技術】
【０００２】
消費電力量計測システムの一例として例えば特許文献１に開示のテーブルタップがある。このテーブルタップにおいては、電気機器を接続することができるコンセントを複数備えると共に各コンセントに接続してある電気機器の電力量を一括計測し、その一括計測した電力量を表示器に表示できるようにしている。また、このテーブルタップでは、コンセントごとに電気機器への電力の供給と遮断とをスイッチで行うことができるようにしている。また、特許文献２にはテーブルタップに接続した電気機器の電力を計測するシステムが開示されている。
【先行技術文献】
【特許文献】
【０００３】
【特許文献１】特開２００２−９８７１５号公報
【特許文献２】特開２００６−０８７１５８号公報
【発明の概要】
【発明が解決しようとする課題】
【０００４】
従来のテーブルタップを用いた消費電力量計測システムにあっては、テーブルタップ内の各コンセント個々における消費電力を計測するものではなかった。しかしながら、電力需要の多様化に伴い、各コンセントに接続される電気機器個々の消費電力を計測する必要性が高まってきている。そして、この必要性の一方で、各コンセント個々での消費電力を計測するにあたってはコストがかからずに簡易に計測ができる方策が望まれている。
【０００５】
そこで本発明においては、テーブルタップが備える複数のコンセントそれぞれにおける消費電力を簡易に計測できる消費電力量計測システムを提供することを解決すべき課題としている。
【課題を解決するための手段】
【０００６】
本発明によるテーブルタップは、複数のコンセントを有するテーブルタップであって、上記各コンセントに流れる電流をそれぞれ検出する複数の検出手段と、ユーザーが携帯するユーザー側無線機と通信を行うことができるタップ側無線機と、上記タップ側無線機が上記ユーザー側無線機から電力計測要求信号を受信したときは、この受信に応答して上記各検出手段の検出出力から各コンセントでの消費電力量の演算を行い、その演算データを上記タップ側無線機を制御して上記ユーザー側無線機に送信させるマイコンと、を内蔵したことを特徴とする。
【０００７】
本発明による消費電力量計測システムは、上記テーブルタップの複数と、ユーザー側無線機とを含み、各テーブルタップそれぞれの各コンセントにコンセントＩＤを設定し、テーブルタップはユーザー側無線機から電力計測要求信号を受信したときは各コンセントでの消費電力量を演算すると共に、その演算した消費電力量のデータをコンセントＩＤと共にユーザー側無線機に送信するようにしたことを特徴とする。
【０００８】
タップ側無線機とユーザー側無線機との間の無線は例えばブルートゥース（商標）による無線が好ましい。この無線における上記電力計測要求信号は探索（インクワイアリ）信号である。また、この無線はブルートゥースに限定されず、例えば、ＺｉｇＢｅｅ（ジグビー）無線、ＵＷＢ（ＵｌｔｒａＷｉｄｅＢａｎｄ）無線等による無線部を使用することもできる。これら近距離無線では通信距離が１０ｍないし数十ｍ程度である。２．４ＧＨｚ帯を用いるＺｉｇＢｅｅ無線は低消費電力を図る場合に好ましく、ＵＷＢは高速化を図る場合に好ましい。ＵＷＢは１Ｇ〜数ＧＨｚと広い周波数帯であり、他の通信との相互影響を抑制することができる。あるいは通信機能としてワイヤレスＵＳＢ（ＵｎｉｖｅｒｓａｌＳｅｒｉａｌＢａｎｄ）も使用することができる。さらに通信機能として、Ｗｉｂｒｅｅ（ワイブリー）と称する１０ｍ程度の範囲内で１Ｍｂｐｓのデータ転送速度を実現する近距離無線通信技術をもちいることもできる。これはＷｉｂｒｅｅスタンドアロンチップを各モジュールに搭載することで無線部を構成することができる。上記通信機能として特定小電力無線や無線ＬＡＮを用いてもよい。
【０００９】
上記ユーザー側無線機は、受信した消費電力量データを表示部に表示処理できることが好ましい。
【発明の効果】
【００１０】
本発明によれば、ユーザーが例えばブルートゥース型のユーザー側無線機を携帯して例えば多数のテーブルタップが配置された工場内にインクワイアリすると、各テーブルタップからそれぞれのコンセントでの消費電力のデータが送信されるので、ユーザーは各テーブルタップでの消費電力量を簡易に知ることができる。
【図面の簡単な説明】
【００１１】
【図１】図１は本発明の実施形態にかかるテーブルタップを用いた消費電力量計測システムの構成を示す図である。
【図２】図２はテーブルタップ内部の回路ブロックを示す図である。
【図３】図３はユーザー側無線機内部の回路ブロックを示す図である。
【図４】図４は図１のシステムで用いるユーザー側無線機の表示部を示す図である。
【発明を実施するための形態】
【００１２】
以下、添付した図面を参照して、本発明の実施の形態に係るテーブルタップとそれを用いた消費電力量計測システムを説明する。このシステムは、テーブルタップ１と、ユーザーにより携帯されるユーザー側無線機２とを含む。
【００１３】
テーブルタップ１は、タップ本体３と、電源プラグ４とを具備する。
【００１４】
タップ本体３内には、電源プラグ４から延びる一対の電源線５ａ，５ｂに並列接続された回路６ａ−６ｄが設けられている。この回路６ａ−６ｄは、それぞれ、電流検出器７ａ−７ｄと、スイッチ８ａ−８ｄと、コンセント９ａ−９ｄとの直列回路により構成されている。
【００１５】
これらコンセント９ａ−９ｄにはコンセントＩＤがＡ，Ｂ，Ｃ，Ｄとして付けられる。タップ本体３内にはさらに、マイコン１０と、タップ側無線機１１とが内蔵されると共にアンテナ１２が外付けされている。
【００１６】
これらユーザー側無線機２とタップ側無線機１１は、共にブルートゥース（商標）対応のものであり、自機アドレス（ＢｌｕｅｔｏｏｔｈＤｅｖｉｃｅアドレス）や自機識別情報や識別名、その他のデータ等を有しており、相手無線機２，１１からのサーチに応答して自己のアドレス等を返信する。ブルートゥースは、近距離無線通信規格であるＢｌｕｅｔｏｏｔｈ（規格名）に基づいて接続相手をインクワイアリ（探索）する。
【００１７】
図２を参照して、テーブルタップ１内のマイコン１０を説明すると、このマイコン１０は、テーブルタップ１内各部を制御するＣＰＵ（中央制御部）１０ａと、ＣＰＵ１０ａの動作プログラムの格納や、データ格納、あるいはワークのためのメモリ１０ｂと、テーブルタップ１内各コンセントにおける消費電力量を演算する電力量演算部１０ｃと、各コンセントそれぞれに電力を供給遮断するスイッチ８ａ−８ｄの駆動信号を入／出力処理するスイッチインターフェース１０ｄと、タップ側無線機１１との間の送受信信号を入／出力処理する無線機インターフェース１０ｅと、を有する。
【００１８】
図３を参照して、ユーザー側無線機２は、内部に無線動作を制御するＣＰＵ（中央制御部）１１ａと、ＣＰＵ１１ａの動作プログラムの格納や、データ格納、あるいはワークのためのメモリ１１ｂと、テーブルタップ１内の各コンセントにおける消費電力量を表示する表示部１１ｃと、テーブルタップ１のタップ側無線機１１との間で無線アンテナ２ａを介しての通信処理を行う通信処理部１１ｄと、消費電力量の計測を開始させる場合にユーザーにより操作される計測開始操作部１１ｅと、他の操作部１１ｆと、を有する。
【００１９】
図１に戻って実施形態の消費電力量計測システムにおける消費電力量の計測を説明する。ここで、図１のテーブルタップ１は説明の一例として例えば工場内に複数配置されていると考える。ユーザーはユーザー側無線機２を所持して工場内に入る。ユーザーは各テーブルタップ１ごとに各コンセント９ａ−９ｄそれぞれでの消費電力量を計測しようとする場合、ユーザー側無線機２の計測開始操作部１１ｅを操作する。そうすると、ユーザー側無線機２のＣＰＵ１１ａには計測開始操作部１１ｅから操作信号が入力され、ＣＰＵ１１ａはこの操作信号の入力に応答して通信処理部１１ｄを制御して無線アンテナ２ａからインクワイアリ（探索信号）を送信制御する。インクワイアリは、テーブルタップ１の無線アンテナ１２で受信されると共にタップ側無線機１１で受信処理されてマイコン１０に入力される。マイコン１０においては、そのＣＰＵ１１ａによりスイッチインターフェース１０ｄを介してスイッチ８ａ−８ｄをオン側に指令制御しており、またＣＰＵ１１ａは上記インクワイアリの受信に応答して、電力量演算部１０ｃに対して演算指令を出して各電流検出器７ａ−７ｄからの検出値に基づいて各コンセント９ａ−９ｄでの消費電力量を演算させる。そして、この演算が完了すると、ＣＰＵ１１ａは各コンセント９ａ−９ｄにおける消費電力量のデータをそのコンセントＩＤと共に無線機インターフェース１０ｅを介してタップ側無線機１１に出力制御する。タップ側無線機１１ではその演算データを無線アンテナ１２を介してユーザー側無線機２に送信する。一方、マイコン１０においてはさらに、メモリ１０ｂに各コンセント９ａ−９ｄでの消費電力量の規定上限値が記憶されており、演算した消費電力量が上記規定上限値を超えるような場合、各コンセント９ａ−９ｄのうち規定上限値を超えるコンセントに対してスイッチインターフェース１０ｄを介してそれに対応するスイッチ８ａ−８ｄをオフ側に制御する。
【００２０】
ユーザー側無線機２側では、テーブルタップ１側から送信されてきたテーブルタップ１内の各コンセント別の消費電力量データを各コンセント対応のコンセントＩＤと共に受信すると、表示部１１ｃにおいてその消費電力量データを表示する。この表示を図４を参照して説明する。図４はユーザー側無線機２の表示部２ｂの表示画面の一例を示す。この表示画面では、テーブルタップ１の各コンセント９ａ−９ｄそれぞれにのコンセントＩＤ対応するコンセント名が例えばＡ，Ｂ，Ｃ，Ｄと表記されている。一方、ユーザー側無線機２の表示部２ｂの表示画面にはそのコンセント名「Ａ」，「Ｂ」，「Ｃ」，「Ｄ」とそれに対応する消費電力量が例えば「１．２ｋｗｈ」「０ｋｗｈ」「０ｋｗｈ」「３．０ｋｗｈ」と表示されている。
【００２１】
以上説明したように本実施形態では、ユーザーがユーザー側無線機２を携帯して例えば多数のテーブルタップ１が配置された工場内に入って当該ユーザー側無線機２の計測開始操作部１１ｅを操作すると、各テーブルタップ１からそれぞれのコンセント９ａ−９ｄでの消費電力のデータがコンセントＩＤと共に送信されるので、ユーザーは各テーブルタップ１における各コンセントごとの消費電力量を簡易に知ることができる。
【符号の説明】
【００２２】
１  テーブルタップ
２  ユーザー側無線機
３  タップ本体
４  電源プラグ
５ａ，５ｂ  電源線
７ａ−７ｄ  電流検出器
９ａ−９ｄ  コンセント
１０  マイコン
１１  タップ側無線機
【図１】
2012063265.tif 000003
【図２】
2012063265.tif 000004
【図３】
2012063265.tif 000005
【図４】
2012063265.tif 000006